(57)【要約】【課題】切断して容易に排水ホースを接続することができ、確実な止水が確保できる水受け具を提供する。【解決手段】浴槽側面の貫通孔に取り付けられた部材の下側に配置される水受け具５であって、水受け具５は、浴槽に固定される固定部６１と、左右２個の排水口を有し、前記貫通孔からの水漏れを受けることのできる水受け部６を備え、水受け部６の各排水口には、一体で蛇腹部７１，７２を介して外側に延びる先端が閉じられた直管部８１，８２が設けられている。【選択図】図１
2008054778.tif 000002
【特許請求の範囲】
【請求項１】
浴槽側面の貫通孔に取り付けられた部材の下側に配置される水受け具であって、
該水受け具は、前記浴槽に固定される固定部と、左右２個の排水口を有し、前記貫通孔からの水漏れを受けることのできる水受け部を備え、
該水受け部の前記各排水口には、一体で外側へ延びる先端が閉じられた直管部が設けられていることを特徴とする水受け具。
【請求項２】
前記水受け部および直管部がゴムで一体成形されている請求項１に記載の水受け具。
【請求項３】
前記直管部が前記水受け部から斜め下方へ突出されている請求項１または請求項２に記載の水受け具。
【請求項４】
前記排水口と前記直管部の間に蛇腹部を設けた請求項１または請求項２または請求項３に記載の水受け具。
【請求項５】
前記請求項１乃至請求項４に記載の水受け具の前記直管部の一方を切断して排水管を接続することを特徴とする水受け具の排水管接続方法。
【発明の詳細な説明】
【技術分野】
【０００１】
本発明は、浴槽側面の貫通孔に取り付けられた追い焚き金具等の部材の下側に配置されて、漏れ出した水を受けることのできる水受け具、及び、水受け具の排水管接続方法に関するものである。
【背景技術】
【０００２】
従来、特許文献１に開示されているように、浴槽の側面の貫通孔に追い焚き具を取り付け、この追い焚き具取付部の貫通孔から漏れ出した水を受けるために、追い焚き具の下方に水受けパンを設けたものが存在する。
また、特許文献２に開示されているように、水受けをゴムで構成したものが存在する。
【特許文献１】特開２００５−１２１２５５号公報
【特許文献２】特開２００５−２５３６９６号公報
【発明の開示】
【発明が解決しようとする課題】
【０００３】
上記従来の水受けパンは、その左右片側のみに排水管を接続する構造のものであり、この構造は図７に示すように、浴槽１の側面１ａに取り付けた水受けパン５１の片面に排水ホース２を接続し、この排水ホース２を、洗い場パン３の下面に設けられている排水トラップ４に接続して、水受けパン５１に溜まった水を排水ホース２を介して排水トラップ４に排水するものであり、水受けパン５１は、図８の分解図で示すように、水受けパン５１の片側側面に貫通形成された継ぎ手貫通孔５１ａ内に、内側から継ぎ手５２を差し込み、この継ぎ手５２に対し水受けパン５１の外側からロックナット５３を締め付けて、ホース継ぎ手５２に排水ホース２を差し込み、外側をバンド５４で締め付けて接続するものである。
このような構造では、水受けパン５１がゴム製である場合に、図９に示すように、排水ホース２が捩れたり、排水ホース２に引っ張り力が作用すると、ロックナット５３が締め付けられている継ぎ手貫通孔５１ａに対しホース継ぎ手５２の根元の部分が傾斜等して、この根元部分の止水性が悪化し、水漏れが生ずる可能性が大であった。
【課題を解決するための手段】
【０００４】
本発明は上記従来の問題点に鑑み案出したものであって、止水性が向上する水受け具を提供せんとするものであり、その請求項１は、浴槽側面の貫通孔に取り付けられた部材の下側に配置される水受け具であって、該水受け具は、前記浴槽に固定される固定部と、左右２個の排水口を有し、前記貫通孔からの水漏れを受けることのできる水受け部を備え、該水受け部の前記各排水口には、一体で外側へ延びる先端が閉じられた直管部が設けられていることである。
また、請求項２は、前記水受け部および直管部がゴムで一体成形されていることである。
また、請求項３は、前記直管部が前記水受け部から斜め下方へ突出されていることである。
また、請求項４は、前記排水口と前記直管部の間に蛇腹部を設けたことである。
【０００５】
また、請求項５の水受け具の排水管接続方法は、前記請求項１乃至請求項４に記載の水受け具の前記直管部の一方を切断して排水管を接続することである。
【発明の効果】
【０００６】
本発明は、浴槽側面の貫通孔に取り付けられた部材の下側に配置される水受け具であって、該水受け具は、前記浴槽に固定される固定部と、左右２個の排水口を有し、前記貫通孔からの水漏れを受けることのできる水受け部を備え、該水受け部の前記各排水口には、一体で外側へ延びる先端が閉じられた直管部が設けられていることにより、左右の各排水口には直管部が設けられており、何れか側の直管部に排水管を接続して使用することができ、浴槽に水受け具を取り付けた際の水受け具に対する排水管の接続を左右何れか側で良好に行なうことができるものとなる。
また、排水管を接続する際に使用する一方側の直管部を切断して先端を容易に開口させ、この開口させた直管部内に継ぎ手を介在させて排水管を良好に接続することができ、直管部は水受け部と一体で形成されているため、確実な止水性が確保されるものとなる。
【０００７】
また、前記水受け部および直管部がゴムで一体成形されていることにより、ゴムであるため直管部を切断しやすく、またゴムであるため止水性が向上し、しかも撓みやすくなるため、排水管の接続の取り回し等が容易なものとなる。
【０００８】
また、前記直管部が前記水受け部から斜め下方へ突出されているため、接続される排水管の取り回し等が楽になり、また、斜めに突出されているため排水しやすいものとなる。
【０００９】
また、前記排水口と前記直管部の間に蛇腹部を設けたことにより、蛇腹部を介して直管部の方向を変えたり撓ませることができ、接続される排水管の取り回し等が容易なものとなる。
【００１０】
また、排水管接続方法は、前記請求項１乃至請求項４に記載の水受け具の前記直管部の一方を切断して排水管を接続することとしたため、現場で水受け具の直管部の一方側を切断して開口させ、この開口させた直管部に対し継ぎ手を介して排水管を差し込み、ホースバンドで固定して止水でき、確実に止水させて容易に水受け具に排水管を接続することができるものとなる。
【実施例】
【００１１】
以下、本発明の実施例を図面に基づいて説明する。
図１は、水受け具の斜視構成図であり、図２は、水受け具の縦断面正面構成図である。
本例の水受け具５は、全体がゴムで一体成形されており、浴槽の側面にテープ等を用いて固定される板状の固定部６１には、貫通状に貫通孔６１ａが形成されており、固定部６１の下部部位の左右両端には、前方側へ延びる左右の側面６２，６３が一体形成され、左側面６２及び右側面６３の前端には前面６４が一体形成されて、底側には底面６５が一体形成されている。この底面６５と左右の側面６２，６３と前面６４と固定部６１で、漏れ水を受け止めることのできる上面側が開放された水受け部６が形成されている。
【００１２】
この水受け部６の底面６５と左側面６２の交差する部分には、排水口６６が開口されており、また、底面６５と右側面６３の交差する部分にも、排水口６７が開口されており、排水口６６には斜め下方に向かって外側へ突出して蛇腹部７１が一体形成され、さらに蛇腹部７１の先端には斜め下方へ突出して延びる直管部８１が一体形成されており、この直管部８１の先端は蓋部８ａで蓋されている。
同様に右側の排水口６７にも斜め下方に外側へ突出して蛇腹部７２が一体形成され、蛇腹部７２の下端に斜め下方に延びる直管部８２が一体形成され、直管部８２の先端は蓋部８ａで蓋されている。
【００１３】
このように左右の排水口６６，６７には、それぞれ蛇腹部７１，７２を介して方向を変えたり撓ませたりすることができる状態に直管部８１，８２が設けられており、それぞれの直管部８１，８２は斜め下方に延びているため、直管部８１，８２に良好に排水ホースを接続することができるものである。
【００１４】
例えば図３に示すように、右側の直管部８２のみに排水ホースを接続させる場合には、この直管部８２の先端をハサミで切断して蓋部８ａを除去し、直管部８２の先端を開口させて、この開口させた直管部８２内に継ぎ手であるホースジョイント金具９を差し込み、さらに、このホースジョイント金具９の反対側に排水ホース２１を差し込んで連結し、直管部８２の外周及び排水ホース２１の外周にホースバンド１０，１０をそれぞれ締め付け、良好に止水して排水ホース２１を連結することができるものであり、例えば、図４のように、浴槽１に取り付けた複数の水受け具５，５，５を連結して、最終的にはＴ字状のＴ字継ぎ手１１を用いて排水トラップ４側に連通する排水ホース２を接続するのである。
【００１５】
図４では、浴槽１の側面１ａの長尺側に２個の水中照明発光部１２，１２を取り付け、浴槽１の側面１ａの短尺側には気泡噴射口１３を取り付けた例である。
気泡噴射口１３を取り付ける浴槽１の側面には予め貫通孔が形成されており、この貫通孔内に、内側と外側から締め付け状にして気泡噴射口１３が取り付けられるものであり、この気泡噴射口１３の下方に、横に幅広の水受け具５が取り付けられたものである。
【００１６】
なお、水中照明発光部１２も、浴槽の側面１ａの貫通孔内に締め付け状にして取り付けられるものであり、水受け具５の固定部６１に形成されている貫通孔６１ａに水中照明発光部１２の外側部材を締め付けて取り付けることで、水受け具５の固定部６１を水中照明発光部１２の取り付け時に同時に浴槽１の側面１ａに固定させることもできるものである。
【００１７】
このように気泡噴射口１３及び水中照明発光部１２のそれぞれの下方に水受け具５の水受け部６が配置されて、気泡噴射口１３或いは水中照明発光部１２を取り付けた貫通孔から漏れ出す水を良好に水受け具５の水受け部６で受け止めることができるものであり、水受け部６で受け止めた水は排水口６７から蛇腹部７２を通って、直管部８２を通し、排水ホース２から排水トラップ４に排水されるものである。
【００１８】
図４の場合は、気泡噴射口１３の下方に配置される水受け具５では、右側の直管部８２のみが切断されて、この直管部８２にホースジョイント金具９及びホースバンド１０を介して排水ホース２１が接続されるものであり、また、図示左側の水中照明発光部１２の下部に配置される水受け具５では、左側の直管部８１も切断されて、この直管部８１に排水ホース２１がホースジョイント金具９を介在させて接続されるものであり、図示右側の水受け具５においては左側の直管部８１のみが切断されて、この直管部８１にホースジョイント金具９及びホースバンド１０を介在させて排水ホース２２が接続されるものであり、一対の水中照明発光部用の水受け具５，５間にはＴ字継ぎ手１１が配置されて、このＴ字継ぎ手１１にホースバンド１０，１０を介在させて、それぞれ排水ホース２１，２２が接続され、さらにホースバンド１０を介在させて排水ホース２が接続されるものである。
【００１９】
このように必要に応じて左右何れか側の直管部８１或いは８２を切断して、左右何れか側の直管部８１，８２を選択的に使用することができ、また同時に左右両方を切断して使用することもできるものであり、切断して蓋部８ａの部分を除去することで、直管部を開口させてホースジョイント金具９及びホースバンド１０を介して排水ホース等を良好に接続できるものである。
なお、切断しなかった側の直管部は蓋８ａが一体形成されているために、この部分から水漏れが生ずることはない。
【００２０】
また、排水ホース２１，２２等の接続時に、直管部８１，８２は蛇腹部７１，７２を介して良好に撓ませることができ、自由に方向を変えて接続作業を行ないやすいものとなり、排水ホース等の取り回しも良好に行なえるものとなる。
また、ゴムであるため切断作業は容易に行なえるものであり、この直管部８１，８２に引っ張り力や捩れる力が生じても、従来のように水漏れが生ずることはなく、ゴムで一体に形成されているため、確実な止水ができるものとなる。
【００２１】
なお、図５に示すものは変更例であり、図５に示す水受け具５では、左右の排水口６６，６７に加えて、底面６５から下方側に第３の排水口が形成されており、この第３の排水口にも蛇腹部７３が一体形成され、さらにその下端に連続して蓋部８ａを有する直管部８３が一体形成されたものである。
この図５では、直管部８１，８２，８３が３個存在するため、何れかの直管部を選択して、その選択した直管部を切断して良好に排水ホース２１等をホースジョイント金具９及びホースバンド１０を用いて止水を確保して接続することができるものである。
また、左右の両側の直管部８１，８２を両側とも切断して、この両側の直管部８１，８２にそれぞれ排水ホースを接続して使用することもできる。
【００２２】
さらに図６の配管状態図で示すように、第３の直管部８３を切断して、この直管部８３にホースジョイント金具９及びホースバンド１０を用いて、排水ホース２を直接接続させ、排水ホース２から排水トラップ４へ良好に排水させる構造とすることもでき、第３の直管部８３に排水ホース２を接続する配管構造とすれば、図３及び図４に示したようなＴ字継ぎ手１１は不要となり、配管の接続部位を少なくして、配管を良好に取り回すことができるものとなる。
【図面の簡単な説明】
【００２３】
【図１】水受け具の斜視構成図である。
【図２】図１の水受け具の縦断面正面構成図である。
【図３】水受け具に継ぎ手及びホースバンドを使用して排水ホースを接続する場合の部材の分解構成図である。
【図４】図３の部材を用いて複数の水受け具をホースで連通接続させた配置構成図である。
【図５】水受け具の変更例を示す斜視構成図である。
【図６】図５の水受け具を使用して排水ホースを接続した接続状態図である。
【図７】従来の水受け具の排水ホースの接続状態を示す要部斜視構成図である。
【図８】従来の水受け具に対する排水ホースの接続部材の分解図である。
【図９】従来の水受け具に排水ホースを接続した不具合状態を示す要部断面構成図である。
【符号の説明】
【００２４】
１  浴槽
１ａ  側面
２，２１，２２  排水ホース
５  水受け具
６  水受け部
８ａ  蓋部
９  継ぎ手（ホースジョイント金具）
１０  ホースバンド
１１  Ｔ字継ぎ手
６１  固定部
６１ａ  貫通孔
６２  左側面
６３  右側面
６４  前面
６５  底面
６６，６７  排水口
７１，７２，７３  蛇腹部
８１，８２，８３  直管部
【図１】
2008054778.tif 000003
【図２】
2008054778.tif 000004
【図３】
2008054778.tif 000005
【図４】
2008054778.tif 000006
【図５】
2008054778.tif 000007
【図６】
2008054778.tif 000008
【図７】
2008054778.tif 000009
【図８】
2008054778.tif 000010
【図９】
2008054778.tif 000011